【手続補正書】
【提出日】平成19年10月1日(2007.10.1)
【手続補正１】
【補正対象書類名】特許請求の範囲
【補正対象項目名】全文
【補正方法】変更
【補正の内容】
【特許請求の範囲】
【請求項１】
ブラケティング撮影機能を有するカメラ装置において、
複数の光源の各々に対応する色情報を記憶する記憶手段と、
前記記憶手段に記憶された色情報に基づいて、複数の光源を選択する選択手段と、
前記記憶手段に記憶された光源に対応する色情報に基づいて、前記選択手段により選択された複数の光源にそれぞれ対応する複数のホワイトバランス補正値を算出する算出手段と、
前記算出手段により算出された複数の補正値によってホワイトバランスを補正してブラケティング撮影を実行するよう本カメラ装置を制御する制御手段と
を具備したことを特徴とするカメラ装置。
【請求項２】
被写体の色情報を取得する取得手段を更に備え、
前記選択手段は、前記取得手段により取得された色情報に対応する複数の光源を選択することを特徴とする請求項１記載のカメラ装置。
【請求項３】
前記選択手段は、予め設定された複数の光源から、ユーザからの指定入力に応じた複数の光源を選択することを特徴とする請求項１記載のカメラ装置。
【請求項４】
撮影指示を入力する撮影指示入力手段を具備し、
前記制御手段は、前記撮影指示手段によって入力された撮影指示に応じて、前記算出手段により算出された複数の補正値によってホワイトバランスを補正してブラケティング撮影を実行するよう本カメラ装置を制御することを特徴とする請求項１乃至３いずれか１項に記載のカメラ装置。
【請求項５】
前記選択手段は、撮影対象として選択された複数の光源と類似する分光特性を有する光源を追加することを特徴とする請求項１又は３に記載のカメラ装置。
【請求項６】
前記複数の光源には、類似する分光特性を持つ画像が得られやすい光源が含まれることを特徴とする請求項１乃至３いずれか１項に記載のカメラ装置。
【請求項７】
前記選択手段は、光源を個別に選択する個別選択と、複数の光源を含むグループを選択するグループ選択により複数の光源を選択することを特徴とする請求項１又は３に記載のカメラ装置。
【請求項８】
前記選択手段は、
撮影対象とする光源範囲の広さを選択する光源範囲選択手段と、
前記光源範囲選択手段により選択された広さの光源範囲に応じて、複数の光源を選択する光源選択手段とを有することを特徴とする請求項１又は３に記載のカメラ装置。
【請求項９】
ホワイトバランスブラケティング撮影方法において、
複数の光源の各々に対応する色情報に基づいて、複数の光源から撮影対象とする複数の光源を選択する選択ステップと、
複数の光源の各々に対応する色情報に基づいて、前記選択ステップにより選択された複数の光源にそれぞれ対応する複数のホワイトバランス補正値を算出する算出ステップと、
前記算出ステップにより算出された補正値によってホワイトバランスを補正してブラケティング撮影を実行するよう本カメラ装置を制御する制御ステップと
を有するホワイトバランスブラケティング撮影方法。
【手続補正２】
【補正対象書類名】明細書
【補正対象項目名】０００８
【補正方法】変更
【補正の内容】
【０００８】
請求項１記載の発明は、ブラケティング撮影機能を有するカメラ装置において、複数の光源の各々に対応する色情報を記憶する記憶手段と、前記記憶手段に記憶された色情報に基づいて、複数の光源を選択する選択手段と、前記記憶手段に記憶された光源に対応する色情報に基づいて、前記選択手段により選択された複数の光源にそれぞれ対応する複数のホワイトバランス補正値を算出する算出手段と、前記算出手段により算出された複数の補正値によってホワイトバランスを補正してブラケティング撮影を実行するよう本カメラ装置を制御する制御手段とを具備したことを特徴とする。
【手続補正３】
【補正対象書類名】明細書
【補正対象項目名】０００９
【補正方法】変更
【補正の内容】
【０００９】
請求項２記載の発明は、請求項１記載の発明において、被写体の色情報を取得する取得手段を更に備え、前記選択手段は、前記記憶手段に記憶された色情報に基づいて、前記取得手段により取得された色情報に対応する複数の光源を選択することを特徴とする。
【手続補正４】
【補正対象書類名】明細書
【補正対象項目名】００１０
【補正方法】変更
【補正の内容】
【００１０】
請求項３記載の発明は、請求項１記載の発明において、前記選択手段は、予め設定された複数の光源から、ユーザからの指定入力に応じた複数の光源を選択することを特徴とする。
【手続補正５】
【補正対象書類名】明細書
【補正対象項目名】００１１
【補正方法】変更
【補正の内容】
【００１１】
請求項４記載の発明は、請求項１又は３に記載の発明において、撮影指示を入力する撮影指示入力手段を具備し、前記制御手段は、前記算出手段により算出された複数の補正値によってホワイトバランスを補正してブラケティング撮影を実行するよう本カメラ装置を制御することを特徴とする。
【手続補正６】
【補正対象書類名】明細書
【補正対象項目名】００１２
【補正方法】変更
【補正の内容】
【００１２】
請求項５記載の発明は、項１又は３に記載の発明において、撮影対象として選択された複数の光源と類似する分光特性を有する光源を追加することを特徴とする。
【手続補正７】
【補正対象書類名】明細書
【補正対象項目名】００１３
【補正方法】変更
【補正の内容】
【００１３】
請求項６記載の発明は、請求項１乃至３いずれか１項に記載の発明において、前記複数の光源には、類似する分光特性を持つ画像が得られやすい光源が含まれることを特徴とする。
【手続補正８】
【補正対象書類名】明細書
【補正対象項目名】００１４
【補正方法】変更
【補正の内容】
【００１４】
請求項７記載の発明は、請求項１又は３に記載の発明において、前記選択手段は、光源を個別に選択する個別選択と、複数の光源を含むグループを選択するグループ選択により複数の光源を選択することを特徴とする。
【手続補正９】
【補正対象書類名】明細書
【補正対象項目名】００１５
【補正方法】変更
【補正の内容】
【００１５】
請求項８記載の発明は、請求項１又は３に記載の発明において、前記選択手段は、撮影対象とする光源範囲の広さを選択する光源範囲選択手段と、前記光源範囲選択手段により選択された広さの光源範囲に応じて、複数の光源を選択する光源選択手段とを有することを特徴とする。
【手続補正１０】
【補正対象書類名】明細書
【補正対象項目名】００１６
【補正方法】変更
【補正の内容】
【００１６】
請求項９記載の発明は、ホワイトバランスブラケティング撮影方法において、複数の光源の各々に対応する色情報に基づいて、複数の光源から撮影対象とする複数の光源を選択する選択ステップと、複数の光源の各々に対応する色情報に基づいて、前記選択ステップにより選択された複数の光源にそれぞれ対応する複数のホワイトバランス補正値を算出する算出ステップと、前記算出ステップにより算出された補正値によってホワイトバランスを補正してブラケティング撮影を実行するよう本カメラ装置を制御する制御ステップとを有する。
【手続補正１１】
【補正対象書類名】明細書
【補正対象項目名】００１７
【補正方法】変更
【補正の内容】
【００１７】
請求項１、９記載の発明によれば、複数の光源の各々に対応する色情報に基づいて、複数の光源を選択し、この選択された複数の光源に対応するホワイトバランスを補正して複数の光源のそれぞれに対応して被写体のブラケティング撮影（複数枚の画像の生成）を実行するので、光源の判定が困難な状況にあっても、正しい光源を含む複数の画像を取得できるようになる。
【手続補正１２】
【補正対象書類名】明細書
【補正対象項目名】００１８
【補正方法】変更
【補正の内容】
【００１８】
請求項２記載の発明によれば、被写体から取得された色情報に対応する複数の光源を選択し、この選択された複数の光源に対応するホワイトバランスを補正して複数の光源のそれぞれに対応して被写体のブラケティング撮影を実行するので、光源の判定が困難な状況にあっても、正しい光源を含む複数の画像を取得できるようになる。
また、請求項３記載の発明によれば、ユーザからの指定入力に応じて、予め設定された複数の光源から撮影対象とする複数の光源を選択できるようにしておき、選択された光源に対応するホワイトバランスを補正して被写体のブラケティング撮影を実行するので、光源の判定が困難な状況にあっても、予め選択された複数の光源を対象とした撮影により、正しい光源を含めた複数の画像を取得できるようになる。
【手続補正１３】
【補正対象書類名】明細書
【補正対象項目名】００１９
【補正方法】変更
【補正の内容】
【００１９】
請求項４記載の発明によれば、請求項１乃至３いずれか１項の発明の効果に加えて、撮影指示が入力されることにより、複数の光源のそれぞれに対する補正値によりホワイトバランスを補正した複数の画像を生成するブラケティング撮影を実行することができる。
【手続補正１４】
【補正対象書類名】明細書
【補正対象項目名】００２０
【補正方法】変更
【補正の内容】
【００２０】
請求項５記載の発明によれば、請求項１又は３の発明の効果に加えて、撮影対象として選択された複数の光源と類似する分光特性を有する光源を追加することにより、予め選択された複数の光源が正しい光源でなかったとしても、正しい光源を含めた画像を取得され易くすることができる。
【手続補正１５】
【補正対象書類名】明細書
【補正対象項目名】００２１
【補正方法】変更
【補正の内容】
【００２１】
請求項６記載の発明によれば、請求項１乃至３いずれか１項の発明の効果に加えて、分光特性が類似する複数の光源を含むようにすることで、光源の判定が困難な状況にあり、何れに判定されたとしても、それぞれに対するホワイトバランスを補正した画像を取得することができる。
【手続補正１６】
【補正対象書類名】明細書
【補正対象項目名】００２２
【補正方法】変更
【補正の内容】
【００２２】
請求項７記載の発明によれば、請求項１又は３の発明の効果に加えて、光源を個別に選択する個別選択と、複数の光源を含むグループを選択するグループ選択により複数の光源を選択することができるようにすることで、きめ細かい光源の選択を可能にすることができる。
【手続補正１７】
【補正対象書類名】明細書
【補正対象項目名】００２３
【補正方法】変更
【補正の内容】
【００２３】
請求項８記載の発明によれば、請求項１又は３の発明の効果に加えて、撮影対象として選択された光源範囲の広さに応じて複数の光源を選択することで、光源の判定が困難な状況であるか、あるいは特定が容易な状況であるかなどに応じて光源範囲の広さを選択し、撮影対象とする光源を選択することができる。